(57)【要約】【課題】脚の取り扱いが容易な展示器具を提供することを課題とする。【解決手段】展示器具１であって、板状の展示器具本体２と、脚部３であって、上端側が前記展示器具本体２の背面６に回動可能なように接続され、下端側が開脚されることにより該展示器具本体２の背面６を支持する脚部３と、前記展示器具本体２と前記脚部３との間に配設され、該脚部３が開脚するように該脚部３を付勢する付勢機構９と、を備える。【選択図】図５
2008104706.tif 000002
【特許請求の範囲】
【請求項１】
板状の展示器具本体と、
脚部であって、上端側が前記展示器具本体の背面に回動可能なように接続され、下端側が開脚されることにより該展示器具本体の背面を支持する脚部と、
前記展示器具本体と前記脚部との間に配設され、該脚部が開脚するように該脚部を付勢する付勢機構と、を備える、
展示器具。
【請求項２】
前記脚部は、前記展示器具本体の背面にヒンジを介して回動可能なように接続され、
前記付勢機構は、前記ヒンジの回転軸に取り付けられたバネによって前記脚部を付勢する、
請求項１に記載の展示器具。
【請求項３】
前記脚部は、前記展示器具本体を持ち上げた自由状態で開脚するように前記付勢機構によって付勢される、
請求項１又は２に記載の展示器具。
【請求項４】
前記脚部は、前記展示器具本体を前記脚部が配設されている面が下側になるようにして水平面に置いた状態および該展示器具本体を該脚部が配設されている面が垂直面側になるようにして該垂直面に設置した状態の何れの状態においても、該展示器具本体の自重により閉脚するように前記付勢機構によって付勢される、
請求項１から３の何れかに記載の展示器具。
【請求項５】
前記展示器具本体と前記脚部との間に配設され、該脚部が該展示器具本体の背面を支持するのに適する所定の位置まで開脚したら前記付勢機構による該脚部の回動を止める止め機構を更に備える、
請求項１から４の何れかに記載の展示器具。
【発明の詳細な説明】
【技術分野】
【０００１】
本発明は、展示器具に関する。
【背景技術】
【０００２】
写真や絵葉書を収容して展示するフォトフレームや店先に並べる看板等のような展示器具には、本体を支持する棒や板等の脚が背面に設けられており、必要に応じて開脚したり閉脚したりするように構成されている。このような脚構造の他に、バネや爪を用いて脚を出し入れすることが可能な脚構造が開発されている（例えば、特許文献１を参照。）。
【特許文献１】実開昭５６−３４４８２号公報
【発明の開示】
【発明が解決しようとする課題】
【０００３】
従来技術に係る展示器具によれば、展示器具本体を持ち上げている間に脚が閉脚してしまうため、脚を手で開脚させながらテーブル等に置く必要がある。また、展示器具本体が正面から押されると、脚が簡単に閉脚してしまうため、店頭販売やテーブルの掃除をしている際に転倒しやすい。
【０００４】
一方、脚が容易に閉脚しない構造の展示器具によれば、展示器具を壁に掛けたり箱に収容したりする際、脚を閉脚して収容し、爪で係止させたりする必要があるため操作が煩わしい。
【０００５】
そこで本発明は、脚の取り扱いが容易な展示器具を提供することを課題とする。
【課題を解決するための手段】
【０００６】
本発明は、上述の課題を解決するため、展示器具であって、展示器具本体の背面に配設された脚部が開脚するように付勢する付勢機構を備える。
【０００７】
詳細には、本発明は展示器具であって、板状の展示器具本体と、脚部であって、上端側が前記展示器具本体の背面に回動可能なように接続され、下端側が開脚されることにより該展示器具本体の背面を支持する脚部と、前記展示器具本体と前記脚部との間に配設され、該脚部が開脚するように該脚部を付勢する付勢機構と、を備える。
【０００８】
上述の展示器具は、展示器具本体と脚部と付勢機構とを備えている。板状の展示器具本体は底面に奥行きが無いため、テーブル等に立てた状態で置く際、背面を支持する脚部を必要とする。このような外形を有する展示器具として、例えば、フォトフレームや店先に並べる看板等が挙げられる。
【０００９】
脚部は、その上端側が展示器具本体の背面に回動可能なように接続されているため、脚部を回動させることにより、その下端側を展示器具本体に接近させたり離したりすることが可能となる。これにより、脚部を開脚させれば展示器具本体を背面から支持することが可能になるし、脚部を閉脚させれば展示器具の奥行きを小さくすることが可能になる。
【００１０】
付勢機構は、展示器具本体と脚部との間に配設される。付勢機構は、脚部が開脚するように力を加える。これにより、展示器具本体を持ち上げている間でも脚部の開脚状態が維持される。従って、展示器具をテーブル等に置く際、脚部を手で開脚させる必要が無くなる。また、展示器具本体がテーブルに置かれた状態で正面から押されても、脚部が開脚するように付勢されているため容易に閉脚せず、展示器具本体が転倒しにくい。また、付勢
機構は、脚部が開脚するように脚部を付勢しているだけなので、展示器具本体を壁に掛けたり箱に収容したりする際は脚部を押すだけで閉脚させることが可能である。
【００１１】
以上により、本発明に係る展示器具によれば、脚の取り扱いが容易になる。
【００１２】
ここで、前記脚部は、前記展示器具本体の背面にヒンジを介して回動可能なように接続され、前記付勢機構は、前記ヒンジの回転軸に取り付けられたバネによって前記脚部を付勢するようにしてもよい。
【００１３】
脚部は、その上端側がヒンジを介して展示器具本体の背面に接続されている。このため、脚部の下端側をヒンジの回転軸を中心に回動させることが可能となる。これにより、展示器具本体の背面に接続された脚部を開脚させたり閉脚させたりすることが可能になる。
【００１４】
また、付勢機構は、ヒンジの回転軸に取り付けられたバネで構成されており、展示器具本体と脚部との間に配設されている。従って、バネの一端が展示器具本体を押圧し、バネの他端が脚部を押圧することにより、脚部が開脚するように脚部を付勢することが可能になる。
【００１５】
以上により、本発明に係る展示器具によれば、脚部が開脚するように付勢することが可能になる。
【００１６】
ここで、前記脚部は、前記展示器具本体を持ち上げた自由状態で開脚するように前記付勢機構によって付勢されるようにしてもよい。
【００１７】
脚部は、展示器具本体を持ち上げた自由状態で開脚されていることが望ましい。テーブル等に置く際、手で脚部を開脚させることは煩わしいためである。他方、展示器具本体を例えば収納箱に収容したりする際は、脚部を閉脚することが可能なようにする必要がある。脚部を開脚状態で固定してしまうと、箱に収納したり壁面に掛けたりすることが出来なくなるからである。
【００１８】
そこで、付勢機構を、展示器具本体を掴んで持ち上げた自由状態において、脚部の開脚状態を維持するのに必要な付勢力を該脚部に与えるものにする。
【００１９】
これにより、展示器具本体を持ち上げれば脚部が開脚状態になる。よって、操作者は、脚部を開脚操作することなく、展示器具本体をテーブルに立てた状態で置くことが可能になる。
【００２０】
ここで、前記脚部は、前記展示器具本体を前記脚部が配設されている面が下側になるようにして水平面に置いた状態および該展示器具本体を該脚部が配設されている面が垂直面側になるようにして該垂直面に設置した状態の何れの状態においても、該展示器具本体の自重により閉脚するように前記付勢機構によって付勢されるようにしてもよい。
【００２１】
脚部は、展示器具本体を持ち上げた自由状態で開脚されていることが望ましい。脚部が自由状態で開脚されていれば、脚部を開脚操作することなくテーブル等に置くことが可能だからである。一方、展示器具本体を例えば収納箱に収容したり壁等に吊り下げるように設置する際は、脚部を閉脚する必要がある。脚部が閉脚されないと展示器具本体が前方にせり出してしまうためである。
【００２２】
そこで、付勢機構を、展示器具本体を水平面に置いた状態、及び垂直面に設置した状態で、脚部が展示器具本体の自重によって閉脚してしまう程度の付勢力を該脚部に与えるも
のにする。
【００２３】
これにより、展示器具本体を水平面や垂直面に設置するだけで、自由状態で開脚している脚部を閉脚させることが可能になる。よって、操作者は、脚部を閉脚操作することなく、展示器具本体を壁面に設置したり収納箱に収めたりすることが可能になる。
【００２４】
ここで、上述の展示器具は、前記展示器具本体と前記脚部との間に配設され、該脚部が該展示器具本体の背面を支持するのに適する所定位置まで開脚したら前記付勢機構による該脚部の回動を止める止め機構を更に備えるようにしてもよい。
【００２５】
展示器具本体の背面を支持する脚部は、適切な位置（例えば、開脚された脚部によって支持される展示器具本体の展示面が、設置されるテーブルの面に対して略７５度の傾きになるような取付位置や開脚角度。）で開脚されていることが望ましい。脚部の開度が大きいと展示器具本体の展示面が上方を仰ぐような状態となり、展示効果が低減するからである。また、脚部の開度が小さいと、展示器具本体の姿勢が不安定になるからである。
【００２６】
そこで、本発明に係る展示器具は、展示器具本体と脚部との間に、付勢機構による脚部の回動を止める止め機構を更に備える。この止め機構は、脚部が展示器具本体の背面を支持するのに適する所定の位置まで開脚したら、付勢機構による脚部の回動を止める。これにより、展示器具本体を持ち上げている間、脚部が展示器具本体の背面を支持するのに適する所定の位置で止まった状態になるので、展示器具を容易にテーブル等に置くことが可能になる。また、展示器具がテーブル等に置かれている間、脚部の開度が展示器具本体を支持するのに適切な位置で保持されるので、展示器具本体を安定した状態で支持することが可能になる。なお、所定の位置とは、脚部と展示器具本体との相対的な位置関係であり、例えば、展示器具本体が適切に支持される脚部の位置である。
【００２７】
以上により、本発明に係る展示器具によれば、展示器具本体を安定した状態で支持することが可能になる。
【発明の効果】
【００２８】
本発明によれば、脚の取り扱いが容易な展示器具を提供することが可能となる。
【発明を実施するための最良の形態】
【００２９】
以下、本発明を実施するための最良の形態を例示的に説明する。以下に示す実施形態は例示であり、本発明はこれらに限定されない。
【００３０】
図１は、本発明の一実施形態に係る展示器具１を表側から見た斜視図である。また、図２は、本発明の一実施形態に係る展示器具１を裏側から見た斜視図である。図１や図２において示すように、本実施形態に係る展示器具１は、展示器具本体２と脚部３とを有している。本実施形態において、展示器具１は、写真を展示するフォトフレームであることを前提としている。しかし、本発明に係る展示器具１は、フォトフレームに限定されるものでなく、看板等であってもよい。
【００３１】
図１や図２において示すように、展示器具本体２は、フレーム４と保護ガラス５と背面板６と爪７とを有しており、写真等が収容可能なように構成されている。
【００３２】
図２において示すように、脚部３は、ネクタイ状の外形を有する板で構成されている。図３は、ヒンジ８によって展示器具本体２と脚部３とが接続されている状態を示している。図３が示すように、脚部３の上端側は、展示器具本体２の背面にある背面板６にヒンジ８を介して接続されている。脚部３は、ヒンジ８の回転軸を中心に回動することが可能で
あり、回動させることによって脚部３を開脚したり閉脚したりすることが可能である。脚部３を開脚させることで展示器具本体２を背面から支持することが可能となり、また、脚部３を閉脚させることで展示器具１の奥行きを小さくすることが可能になる。
【００３３】
図４は、展示器具本体２と脚部３とを接続しているヒンジ８と、ヒンジ８に取り付けられている捻りバネ９（本発明でいう、「付勢機構」に相当。）と、を示している。図４において示すような捻りバネ９を有するヒンジ８は、一般的に「スプリングヒンジ」と称される。なお、図３において示すように、捻りバネ９を取り付けられたヒンジ８は、捻りバネ９に捻り力が加えられた状態で展示器具本体２と脚部３との間に配設されている。従って、脚部３は、捻りバネ９による捻り力が加えられて開脚方向に付勢され、開脚した状態になる。
【００３４】
なお、図３において示すように、展示器具本体２と脚部３との間には、捻りバネ９による脚部３の回動を止める止め機構１０が設けられており、脚部３の開脚位置が展示器具本体２の背面を支持するのに適する所定の位置で止まるように構成されている。止め機構１０は、脚部３のヒンジ８が接続されている位置よりも更に上端側の先端部１１が展示器具本体２の背面に当接するように構成されていることにより、脚部３の回動が止まるようになっている。
【００３５】
図５は、展示器具本体２を手１２で持ち上げた際の状態を示す。展示器具１は、脚部３を開脚方向に付勢する捻りバネ９を備えているため、展示器具本体２を持ち上げた状態でも脚部３が閉脚しない。よって、脚部３を手１２で開脚させることなく容易にテーブル等に置くことが可能になる。展示器具本体２を持ち上げても脚部３が閉脚しないため、店頭販売時、顧客が手１２に取った後に陳列棚に戻しても展示器具１が容易に転倒しない。
【００３６】
図６は、箱１３に収容された展示器具１の状態を示す。脚部３は捻りバネ９によって脚部３を開脚させるのに必要な必要最小限の力で付勢されている。ここで、捻りバネ９による付勢力があまりに強いと、脚部３を閉脚させるのに強い力が必要となる。また、脚部３の閉脚状態を維持するために、閉脚状態で脚部３を係止する部材等が必要になってしまう。ここで、本願発明に係る展示器具１は、展示器具本体２と脚部３の重量差に着目した。すなわち、展示器具本体２は、フレーム４や保護ガラス５等によって構成されているため、板状の部材を形成しただけの脚部３に比べて重量が重い。そこで、捻りバネ９を、展示器具１を持ち上げた自由状態において脚部３を開脚させるのに十分な付勢力を脚部３に与えるものの、展示器具１を脚部３が配設されている面（背面）が下側になるようにしてテーブルや収納箱のような水平面に置いた状態および展示器具１を壁面に掛けた状態の何れの状態においても、展示器具１の自重により閉脚してしまう程度の付勢力までしか与えないもので構成する。これにより、図６において示すように、展示器具１を箱１３に収容するだけで展示器具本体２の自重により脚部３を閉脚させることが可能となる。脚部３を操作して開脚させたり閉脚させたりしなくても、箱１３に出し入れするだけで脚部３が開脚したり閉脚したりするため、極めて容易に取り扱うことが可能となる。また、展示器具１を壁に掛ける際も、展示器具本体２の自重で脚部３が閉脚するため、脚部３を開閉操作しなくてもそのまま壁に掛けることが可能となる。
【００３７】
以上により、本実施形態に係る展示器具１によれば、脚部３が開脚するように付勢されており、所定の力を加えない限り開脚された状態が維持され且つ容易に閉脚させることも可能なので、脚部３の取り扱いが容易となる。なお、本実施形態において、付勢機構は捻りバネ９により構成していたが、押しバネや引きバネ、板バネ等により構成してもよい。
【図面の簡単な説明】
【００３８】
【図１】実施形態に係る展示器具を表側から見た斜視図。
【図２】実施形態に係る展示器具を裏側から見た斜視図。
【図３】実施形態に係る展示器具本体と脚部との接続状態を示す図。
【図４】実施形態に係るヒンジと捻りバネとを示す図。
【図５】実施形態に係る展示器具本体を持ち上げた際の状態図。
【図６】実施形態に係る展示器具本体を箱に収容した際の状態図。
【符号の説明】
【００３９】
１・・・・・・・展示器具
２・・・・・・・展示器具本体
３・・・・・・・脚部
４・・・・・・・フレーム
５・・・・・・・保護ガラス
６・・・・・・・背面板
７・・・・・・・爪
８・・・・・・・ヒンジ
９・・・・・・・捻りバネ
１０・・・・・・止め機構
１１・・・・・・先端部
１２・・・・・・手
１３・・・・・・箱
【図１】
2008104706.tif 000003
【図２】
2008104706.tif 000004
【図３】
2008104706.tif 000005
【図４】
2008104706.tif 000006
【図５】
2008104706.tif 000007
【図６】
2008104706.tif 000008